(57)【要約】【課題】負荷の制御だけでなく、リモコン操作器の操作履歴や制御器で制御された負荷の制御状態の履歴を上位システムで監視できる負荷監視制御システムを提供することである。【解決手段】制御器である点灯装置１９は、負荷である照明器具の受光部２２に無線で指令を送信するリモコン操作器２１からの負荷に対する指令を受信して負荷である照明器具の光源１８を制御し、ユニット１６は、リモコン操作器２１からの負荷である照明器具の光源１８に対する指令を受信して、リモコン操作器２１の操作履歴を蓄積し、リモコン操作器２１の操作履歴を負荷である照明器具の光源１８の制御状態の履歴として上位システム２４に送信する。【選択図】  図１
2010283608.tif 000002
【特許請求の範囲】
【請求項１】
負荷に対する指令を受信して前記負荷を制御する制御器と；
前記負荷に対する指令を受信して前記負荷の制御状態の履歴を蓄積し、前記負荷の制御状態の履歴を上位システムに送信するユニットと；
を備えたことを特徴とする負荷監視制御システム。
【請求項２】
前記ユニットは、リモコン操作器から送信された前記負荷に対する指令を受信するリモコン受信部と、前記リモコン受信部で受信した指令を操作履歴として時系列的に記憶するメモリと、前記メモリに記憶された操作履歴を前記負荷の制御状態の履歴として前記上位システムに送信する通信部とを備えたことを特徴とする請求項１記載の負荷監視制御システム。
【請求項３】
前記ユニットは、前記負荷に供給される電流を検出する電流検知部を備え、前記電流検知部で検出された電流値と前記負荷に対する指令とを基に前記負荷の制御状態の履歴を蓄積し、前記負荷の制御状態の履歴を前記上位システムに送信することを特徴とする請求項１または２記載の負荷監視制御システム。
【発明の詳細な説明】
【技術分野】
【０００１】
本発明は、リモコン操作器からの指令を受信して動作する負荷の制御状態を監視する負荷監視制御システムに関する。
【背景技術】
【０００２】
リモコン操作器からの指令を受信して動作する負荷としては、照明器具を初めとしてエアコンやテレビなどの電気製品がある。このような電気製品では、リモコン操作器に設けられたリモコン送信器から無線で指令を送信し、リモコン送信器から送信された指令を器具本体に設けられたリモコン受信器で受信して、その指令に従った動作を行うようになっている。
【０００３】
例えば、天井直付け照明器具においては、器具本体に設けられた引掛シーリングアダプタを天井面の引掛シーリングに着脱可能に取り付けて天井面に配置し、器具本体にリモコン受信器を設けるようにしている。
【０００４】
また、引掛シーリングに対して照明器具本体を着脱可能に取り付けて支持する天井直付け照明器具取付装置として、装置ベースとは別にリモートコントロール機能を備えたリモコンユニット本体と、これに電気的に接続された受光センサ部とを備え、受光センサ部を装置ベースの下面に配設し、受光センサを器具本体の中央部に配置して、受光感度や指向性の向上、受信ノイズの改善を図るようにしたものがある（例えば、特許文献１参照）。
【０００５】
また、天井直付け照明器具を天井面に取り付けるための取付装置として、天井面に設けた引掛シーリングに係止されると共に、照明器具本体を着脱可能に取り付けて支持し、栓刃を備えた取付装置本体の下部に、保安灯ソケット及びリモコン受信器を有する受信器ユニットを設け、保安灯ソケットの保安灯装着面及び受光センサをリモコン受信器の下面に配置して成るようにしたものがある（例えば、特許文献２参照）。
【０００６】
ここで、特許文献１や特許文献２のものでは、引掛けシーリングアダプタ（取付装置）と受光センサ部とが一体的に取り付けられているので、照明器具の機種毎に引掛けシーリングアダプタを用意しなければならない。そこで、出願人は、引掛シーリングに着脱可能に取り付けられる引掛シーリングアダプタに着脱可能に付加ユニット本体を装着し、付加ユニット本体にリモコン受信器や保安灯などの電気部品を追加で装着できるようにし、引掛シーリングアダプタを汎用品とすることができるものを開発し、特願２００８−３２８８１９として出願した。
【０００７】
これにより、例えば、家庭内等において無線ネットワークを構築する場合には、付加ユニット本体に無線アダプタ等の機器を取り付け、引掛シーリングアダプタは汎用品のままで容易に無線ネットワークを構築できることを可能としている。
【先行技術文献】
【特許文献】
【０００８】
【特許文献１】特開２０００−１１７４０号公報
【特許文献２】特開２０００−３２２９２８号公報
【発明の概要】
【発明が解決しようとする課題】
【０００９】
負荷を接続した無線ネットワークを構築する際には、負荷を監視制御できると好都合である。すなわち、リモコン操作器で負荷を操作した場合の操作履歴や負荷の制御状態の履歴を把握し、負荷の使用頻度や使用状態を把握できると好都合である。負荷の操作頻度や使用頻度を把握することで負荷の寿命をある程度把握できるようになり、負荷の制御状態や動作状態を把握することによって負荷の故障や不具合を把握できる。
【００１０】
本発明の目的は、負荷の制御だけでなく、リモコン操作器の操作履歴や制御器で制御された負荷の制御状態の履歴を上位システムで監視できる負荷監視制御システムを提供することである。
【課題を解決するための手段】
【００１１】
請求項１の発明に係わる負荷監視制御システムは、負荷に対する指令を受信して前記負荷を制御する制御器と；前記負荷に対する指令を受信して前記負荷の制御状態の履歴を蓄積し、前記負荷の制御状態の履歴を上位システムに送信するユニットと；を備えたことを特徴とする。
【００１２】
本発明および以下の各発明において、特に指定しない限り用語の定義および技術的意味は次による。
【００１３】
ユニットとは、負荷に対する指令を受信し負荷の制御状態の履歴を蓄積し、上位システムにこれらを送信する装置をいう。
【００１４】
ここで、負荷の制御状態の履歴とは、実際に制御された状態の履歴のみならず、負荷を制御するための負荷に対する指令の履歴であってもよい。
【００１５】
また、ユニットは、負荷に対する指令を制御器を介して受信してもよいし、制御器を介さずに受信するものであってもよい。
【００１６】
さらに、負荷に対する指令はユニットを介して制御器が受信するように構成されていてもよい。
【００１７】
すなわち、ユニットは、制御器が受信する負荷に対する指令と同等の指令を受信可能な構成であればよい。
【００１８】
上位システムとは、例えば、負荷を監視または制御するための装置をいい、負荷が無線ネットワークに接続され、ホームゲートウエイ（ＨＧＷ）を介して外部ネットワークに接続される場合には、外部ネットワークに接続されたサーバなどであってもよい。
【００１９】
負荷とは、リモコン操作器からの指令で動作する装置、例えば、照明器具、エアコン、テレビ、ビデオデッキなどの電気製品をいう。
【００２０】
制御器とは、リモコン操作器からの負荷に対する指令を入力して負荷を制御する装置をいい、例えば、照明器具の場合は点灯装置、エアコンの場合はインバータ装置などである。
【００２１】
請求項２の発明に係わる負荷監視制御システムは、請求項１の発明において、前記ユニットは、リモコン操作器から送信された前記負荷に対する指令を受信するリモコン受信部と、前記リモコン受信部で受信した指令を操作履歴として時系列的に記憶するメモリと、前記メモリに記憶された操作履歴を前記負荷の制御状態の履歴として前記上位システムに送信する通信部とを備えたことを特徴とする。
【００２２】
本発明は、請求項１の発明において、リモコン操作器から送信された負荷に対する時系列的な指令をユニットを介して上位システムに送信するようにしたものである。
【００２３】
リモコン操作器とは、負荷に対して無線で指令を送信して負荷を動作させる装置をいう。
【００２４】
リモコン受信部は、リモコン操作器から送信された負荷に対する指令を受信する受信部である。ユニットのリモコン受信部が受信した負荷に対する指令は、少なくとも負荷の制御状態の履歴として上位システムへ送信することができればよい。すなわち、リモコン操作器から送信された負荷に対する指令をユニットを介して制御器へ送信してもよいし、信号を送信する受信部を別途設け、ユニットの有無にかかわらず負荷を制御することができる構成としてもよい。
【００２５】
負荷の制御状態の履歴とは、例えば、負荷が照明器具である場合には、点灯、消灯、調光などの指令の履歴や、点灯、消灯、調光の指令に対する点灯状態、消灯状態、調光状態、それらの時間などである。
【００２６】
通信部としては、例えば、近接したデバイス（機器）とデバイスとの間を２．４ＧＨｚの周波数帯を用いて電波での情報のやりとりを行う無線通信規格であるＢＴ(Bluetootuh)を用いてホームゲートウエイ（ＨＧＷ）と通信を行い、ホームゲートウエイ（ＨＧＷ）を介して外部ネットワークと通信を行う。
【００２７】
請求項３の発明に係わる負荷監視制御システムは、請求項１または２の発明において、前記ユニットは、前記負荷に供給される電流を検出する電流検知部を備え、前記電流検知部で検出された電流値と前記負荷に対する指令とを基に前記負荷の制御状態の履歴を蓄積し、前記負荷の制御状態の履歴を前記上位システムに送信することを特徴とする。
【００２８】
本発明は、請求項１または２の発明において、電流検知部によって負荷に供給される電流を検出し、この検出した電流値と負荷に対する指令とを基に、負荷の制御状態の履歴を蓄積する。
【００２９】
また、負荷に対する指令と負荷に供給される電流値とによって、例えば負荷の故障や、負荷が照明器具の場合には光源の玉切れ等の情報を負荷の制御状態の履歴として蓄積することもできる。さらに、電流検知部で検出した負荷に供給される電流値や消費電力を負荷の制御状態の履歴として蓄積してもよい。
【００３０】
電流検知部は、例えば負荷に供給される電流を所定の周期でサンプリングしてデジタル値に変換して検出するものである。
【発明の効果】
【００３１】
請求項１の発明によれば、ユニットは、負荷に対する指令を受信して負荷の制御状態の履歴を蓄積し、負荷の制御状態の履歴を上位システムに送信するので、制御器で制御された負荷の制御状態の履歴を上位システムで監視できる。
【００３２】
請求項２の発明によれば、リモコン操作器の操作履歴を負荷の制御状態の履歴として蓄積し、リモコン操作器から送信された負荷に対する時系列的な指令を上位システムに送信するので、上位システムにおいて負荷の使用頻度や使用状況を把握することができる。
【００３３】
請求項３の発明によれば、負荷に供給される電流と負荷に対する時系列的な指令とを基に負荷の制御状態の履歴を上位システムに送信するので、より正確な負荷の制御状態を上位システムで監視できる。また、負荷の故障状態や不具合状況を容易に監視できる。
【図面の簡単な説明】
【００３４】
【図１】本発明の実施の形態に係わる負荷監視制御システムを適用した照明器具の構成図。
【図２】本発明の実施の形態に係わる負荷監視制御システムのユニットの構成図。
【図３】本発明の実施の形態におけるユニットの取り付けを説明する斜視図。
【図４】本発明の実施の形態におけるセンター合わせで取り付けるユニットを位置合わせ機構部を介在させてオフセンター合わせで取り付ける場合の斜視図。
【図５】本発明の実施の形態における受光部が出っ張っている照明器具に対して引掛シーリングアダプタにユニットをオフセンター合わせで取り付ける場合の斜視図。
【図６】図５に示したオフセンター合わせのユニットを位置合わせ機構部を介在させてセンター合わせで取り付ける場合の斜視図。
【発明を実施するための形態】
【００３５】
以下、本発明の実施の形態を説明する。以下の説明では、負荷が照明器具である場合について説明する。図１は本発明の実施の形態に係わる負荷監視制御システムを適用した照明器具の構成図である。
【００３６】
天井面１１には引掛シーリング１２が設けられている。一方、照明器具の器具本体１３には引掛シーリングアダプタ１４が係止片１５にて取り付けられている。そして、ユニット１６が引掛シーリングアダプタ１４に設けられた解除ボタン１７を覆うように引掛シーリングアダプタ１４に装着される。係止片１５は、引掛シーリングアダプタ１４の内側からスプリング部材で側面に押し出されるようになっており、引掛シーリングアダプタ１４の下面に設けられた解除ボタン１７を押すことにより、引掛シーリングアダプタ１４の内側に引っ込むように構成されている。従って、解除ボタン１７を押すと器具本体１３から離脱し、解除ボタン１７を押すのをやめると係止片１５が引掛シーリングアダプタ１４の側面から突出する。
【００３７】
器具本体１３には光源１８や点灯装置１９が取り付けられており、前面にはカバー２０が取り付けられている。リモコン操作器２１からは、例えば、赤外線によって負荷である照明器具の点灯、消灯、調光等の指令が送信される。このリモコン操作器２１からの指令は、器具本体１３に取り付けられた受光器２２で受信され、制御器である点灯装置１９に入力される。点灯装置１９は、リモコン操作器２１からの指令が入力されると、その指令に従って照明器具の光源１８を制御する。例えば、指令が点灯指令である場合には光源１８を点灯させ、指令が消灯指令である場合には光源１８を消灯させ、指令が調光指令である場合には光源１８を調光制御する。
【００３８】
ユニット１６は、リモコン操作器２１からの照明器具の光源１８に対する指令を受信して、リモコン操作器２１の操作履歴を光源１８の制御状態の履歴として蓄積し、リモコン操作器２１の操作履歴をホームゲートウエイ（ＨＧＷ）２３を介して上位システム２４に送信する。上位システム２４は外部ネットワークに接続されるサーバであっても良いし、内部のモニタ装置であってもよい。
【００３９】
図２は本発明の実施の形態に係わる負荷監視制御システムのユニット１６の構成図である。
【００４０】
リモコン受信部２７は、リモコン操作器２１から送信された光源１８に対する指令を受信するものである。
【００４１】
リモコン操作器２１から送信された照明器具の点灯、消灯、調光等の指令は、リモコン受信部２７および受光器２２によって受信される。
【００４２】
そして、リモコン受信部２７で受信された照明器具への指令は、照明器具の操作履歴としてメモリ２８に蓄積され、受光器２２で受信された照明器具への指令によって、照明器具が制御される。
【００４３】
すなわち、リモコン受信部２７は、リモコン操作器２１の操作履歴の蓄積のために設けられたものであり、受光器２２は照明器具の制御のために設けられたものである。
【００４４】
このように、リモコン操作器２１から送信される照明器具への指令を複数の受信部で受信し、言い換えると、リモコン操作器２１から送信された信号を異なる経路で受信し処理するように構成したので、ユニット１６の有無にかかわらず、照明器具を制御可能とすることができる。
【００４５】
また、本実施形態のユニット１６は、電流検知部２５を具備しており、負荷に供給される電流を検出することができる。電流検知部２５は負荷である光源１８に供給される電流を所定の周期でサンプリングしてデジタル値に変換して電流値として検出し、電流検知部２５で検出された電流値は演算処理装置２６に入力される。
【００４６】
演算処理装置２６は、電流検知部２５で検出された電流値を時系列的にメモリ２８に記憶するとともに、リモコン受信部２７で受信した指令を時系列的にメモリ２８に記憶する。そして、演算処理装置２６はリモコン受信器２７で受信した指令と電流検知部２５で検出された電流値とを基に照明器具の制御状態の履歴としてメモリ２８に記憶する。例えば、リモコン操作器２１から送信された照明器具に対する指令を受信したときに、所定以上の電流値を検出した場合には照明器具が点灯しているものとして、制御状態の履歴をメモリ２８に記憶することができる。
【００４７】
また、リモコン操作器２１から送信された照明器具に対する指令と、実際の照明器具の制御状態とは一致しない場合がある。例えば、点灯装置１９が故障している場合や光源１８、１９が玉切れまたは取付けられていない場合にはリモコン操作器２１から送信された照明器具に対する指令を正常に受信しても、光源１８、１９が制御されない場合が想定される。
【００４８】
例えば、リモコン操作器２１から照明器具に対し点灯指令を受信したにもかかわらず、所定の電流値に満たない場合は玉切れと判断し、玉切れ状態であるという情報を光源１８の制御状態の履歴としてメモリ２８に記憶してもよい。
【００４９】
さらに、電流検知部２５で検出した電流値を光源１８の制御状態の履歴としてメモリ２８に記憶してもよい。
【００５０】
そして、演算処理装置２６は、定期的に、または上位システム２４からの要求により、光源１８の制御状態の履歴として、通信部２９からホームゲートウエイ２３を介して上位システム２４に送信する。
【００５１】
通信部２９としては、例えば、近接したデバイス（機器）とデバイスとの間を２．４ＧＨｚの周波数帯を用いて電波での情報のやりとりを行う無線通信規格であるＢＴ(Bluetootuh)を用いてホームゲートウエイ（ＨＧＷ）と通信を行う。そして、ホームゲートウエイ（ＨＧＷ）２３を介して上位システム２４に送信する。上位システム２４は外部ネットワークに接続されるサーバであっても良いし、内部のモニタ装置であってもよい。
【００５２】
また、ユニット１６には設定スイッチ部３０及び送信部３１が設けられている。
【００５３】
設定スイッチ部３０は、例えばリモコン操作器２１から送信された信号を選択的に受信するためのチャンネルおよび送信部３１から送信する信号を所定の送信先に送信するためのチャンネルを設定するものである。すなわち、例えば同チャンネルに設定された送受信部同士のみが互いに通信可能な構成としておくことで、同チャンネルに設定されたもの同士は一つのグループを形成することができる。
【００５４】
本実施形態では、リモコン操作器２１、リモコン受信部２７、送信部３１、受光器２２が互いの信号を受信可能なチャンネルに設定され、一つのグループを形成している。
【００５５】
なお、図示は省略するがリモコン操作器２１および受光器２２についても同様にチャンネルを設定するための設定手段が設けられている。
【００５６】
送信部３１は、上位システム２４からの指令を照明器具の受光部２２に送信するものであり、例えば、上位システム２４からの指令は、ホームゲートウエイ２３を経由して通信部２９で受信され演算処理部２６に入力される。演算処理部２６は、上位システム２４からの指令を判別し、自己に対応する指令である場合には、その指令を送信部３１から照明器具の受光部２２に送信する。このように、照明器具の光源１８は上位システム２４からも制御が可能となっている。
【００５７】
このとき、上位システム２４からの指令は光源１８の制御状態の履歴としてメモリ２８に記憶され、この制御状態の履歴は、定期的に、または上位システム２４からの要求により、上位システム２４へ送信される。
【００５８】
このように、ユニット１６のリモコン受信部２７は、リモコン操作器２１から照明器具の受光器２２に送信された光源１８に対する指令を受信し、その指令の履歴を操作履歴としてメモリ２８に時系列的に記憶する。一方、照明器具の受光器２２で受信され、制御器である点灯装置１９で制御された光源１８に供給される電流を電流検知部２５で検出し、光源１８の制御状態の履歴としてメモリ２８に時系列的に記憶する。そして、通信部２９を通してホームゲートウエイ２３を介して上位システム２４に、メモリ２８に記憶した光源１８の制御状態の履歴を送信する。これにより、上位システム２４は照明器具の監視を行うことができる。
【００５９】
すなわち、光源１８の制御状態の履歴を監視することにより、照明器具がどのように操作され使用されているかを監視でき、また、光源１８の使用頻度が分かり寿命を推定することも可能となる。また、操作履歴及び光源１８の実際の制御状態の双方を監視することにより、光源１８の不具合や故障を検出することも可能である。例えば、点灯指令の操作が行われたにも拘わらず、電流値が所定の電流になっていないときは光源１８の異常であることが分かる。
【００６０】
なお、上記説明ではユニット１６が、上位システム２４から光源１８に対する指令を受信した場合について説明したが、壁スイッチの操作情報、光源１８への供給電源を制御するリレーのオンオフ情報、その他の光源１８に対する制御情報等を受信し光源１８の制御状態の履歴としてもよい。また、制御情報を受信のみ行い制御状態の履歴としてもよいし、受信した制御情報を制御状態の履歴とするとともに、光源１８を制御するための信号を送信するようにしてもよい。つまり、光源１８を制御するための指令をユニット１６が受信可能に構成されていれば、その他の構成は限定されない。
【００６１】
図３は、本発明の実施の形態におけるユニット１６の取り付けを説明する斜視図である。ユニット１６は、引掛シーリングアダプタ１４を介して天井面に取り付けられた引掛シーリング１２に取り付けられる。引掛シーリング１２には、引掛シーリングアダプタ１４の充電金具３２が挿入される接続孔３３が設けられている。すなわち、引掛シーリングアダプタ１４には、引掛シーリング接続部としての断面略Ｌ字状をなす一対の充電金具３２が突設されており、これら充電金具３２が引掛シーリング１２の接続孔３３に挿入されて、所定角度だけ回動することにより、引掛シーリングアダプタ１４の上面が引掛シーリング１２の下面に当接した状態で、これら充電金具３２が引掛シーリング１２内部の接続金具に電気的および機械的に接続されるようになっている。
【００６２】
また、引掛シーリングアダプタ１４の側面には、内側から突出し後述の器具本体に係止するための一対の係止片１５が設けられている。係止片１５は、引掛シーリングアダプタ１４の内側からスプリング部材で側面に押し出されるようになっており、引掛シーリングアダプタ１４の下面に設けられた解除ボタン１７を押すことにより、引掛シーリングアダプタ１４の内側に引っ込むように構成されている。従って、解除ボタン１７を押すと器具本体から離脱し、解除ボタン１７から手を離すと係止片１５が引掛シーリングアダプタ１４の側面から突出する。
【００６３】
また、係止片１５の上面側は、下方に向かって傾斜する傾斜面が設けられており、下面側は水平方向に平面を形成している。
【００６４】
引掛シーリングアダプタ１４を器具本体１３に取り付けるときは、引掛シーリングアダプタ１４を器具本体１３の中央部に形成された開口部（図示しない）に位置合わせし、その状態で引掛シーリングアダプタ１４を上方へ移動させると、器具本体１３の開口部周縁に係止片１５の上面側に形成された傾斜面が当接し、係止片１５が内側に移動する。ここで、器具本体１３の開口部には、開口部から１段側方へ連続的に形成された係止部（図示しない）が設けられており、引掛シーリングアダプタ１４をさらに上方へ移動させると、係止片１５が係止部の位置へ移動したときに、係止片１５が側方へ移動し係止部に挿入され、係止片１５の下面が係止することで引掛シーリングアダプタ１４と器具本体１３との取り付けが完了する。  
引掛シーリングアダプタ１４を取外す場合には、解除ボタン１７を押すことにより、係止片１５の係止が解除される。
【００６５】
また、引掛シーリングアダプタ１４の側面にはコネクタ３４が設けられている。このコネクタ３４は引掛シーリング１２から受電した電力をユニット１６に供給するためのコネクタである。
【００６６】
引掛シーリングアダプタ１４の下面には、ユニット１６を取り付けるための棒状の取付凸部３５が設けられ、ユニット１６には棒状の取付凸部３５と嵌合する取付凹部３６が設けられている。また、ユニット１６の上面には、引掛シーリングアダプタ１４の解除ボタン１７と対面する位置に解除ボタン１７を収納するための収納穴３７が設けられている。引掛シーリングアダプタ１４にユニット１６を取り付けるにあたっては、引掛シーリングアダプタ１４に設けられた解除ボタン１７をユニット１６で覆うように取り付けられる。
【００６７】
すなわち、引掛シーリングアダプタ１４の取付凸部３５をユニット１６の取付凹部３６に挿入する。これにより、引掛シーリングアダプタ１４の取付凸部３５がユニット１６の取付凹部３６に嵌合され、ユニット１６は引掛シーリングアダプタ１４に装着される。その際に、解除ボタン１７はユニット１６の収納穴３７に収納される。取付凹部３６の内面にはゴムなどの弾性体が施されており、取付凸部３５が取付凹部３６に挿入されたときに、取付凹部３６の内面の弾性体で取付凸部３５を保持することになる。
【００６８】
ユニット１６の側面には、引掛シーリングアダプタ１４のコネクタ３４と接続されるコネクタ接続部３８が設けられ、これにより、ユニット１６は引掛シーリングアダプタ１４から電源供給を受け、内部に収納した電気部品に電源を供給する。また、ユニット１６の側面には、引掛シーリングアダプタ１４から供給された電源を別の機器に供給するための接続コネクタ３９が設けられ、例えば、照明器具の場合には、照明器具の光源や点灯装置１９などに電源を供給する。
【００６９】
図３では、引掛シーリングアダプタ１４とユニット１６とがセンター合わせで取り付けられる場合を示したが、図４に示すように、照明器具によっては、引掛シーリングアダプタ１４とユニット１６との取付部に受光部２２などの照明器具の一部が出っ張っているものがある。その場合には、図４に示すように、これを避けるために位置合わせ機構部４０を設け、引掛シーリングアダプタ１４とユニット１６との間に位置合わせ機構部４０を介在させて、引掛シーリングアダプタ１４にユニット１６をオフセンター合わせで取り付ける。
【００７０】
図４は、センター合わせで取り付けるユニット１６を位置合わせ機構部４０を介在させてオフセンター合わせで取り付ける場合の斜視図である。図４に示すように、位置合わせ機構部４０の上面には、引掛シーリングアダプタ１４の取付凸部３５ａを挿入するための取付凹部３６ａが設けられている。この位置合わせ機構部４０の取付凹部３６ａは、ユニット１６が引掛シーリングアダプタ１４の取付凸部３５ａに対して、照明器具の受光部２２を避けてオフセンター合わせで取り付けられる位置に設けられている。また、位置合わせ機構部４０の上面には、引掛シーリングアダプタ１４の解除ボタン１７を収納するための収納穴３７が設けられている。
【００７１】
位置合わせ機構部４０の下面には、ユニット１６の取付凹部３６ｂに嵌合される取付凸部３５ｂが設けられ、この取付凸部３５ｂがユニット１６の取付凹部３６ｂに嵌合されることによって位置合わせ機構部４０とユニット１６とがセンター合わせで取り付けられる。これにより、引掛シーリングアダプタ１４とユニット１６との取付部に照明器具の受光部２２が出っ張っている照明器具に対してもユニット１６を容易に取り付けることができる。
【００７２】
図５は、受光部２２が出っ張っている照明器具に対して引掛シーリングアダプタ１４にユニット１６をオフセンター合わせで取り付ける場合の斜視図である。図５に示すように、引掛シーリングアダプタ１４にオフセンター合わせで取り付けられるユニット１６を用意し、照明器具の受光部２２が出っ張っている場合には、オフセンター合わせのユニット１６を引掛シーリングアダプタ１４に取り付ける。オフセンター合わせのユニット１６の取付凹部３６は、ユニット１６が引掛シーリングアダプタ１４の取付凸部３５に対して、照明器具の受光部２２を避けてオフセンター合わせで取り付けられる位置に設けられている。
【００７３】
図６は、図５に示したオフセンター合わせのユニット１６を位置合わせ機構部４０を介在させてセンター合わせで取り付ける場合の斜視図である。図６に示すように、位置合わせ機構部４０の上面には、引掛シーリングアダプタ１４の取付凸部３５ａを挿入するための取付凹部３６ａが設けられ、引掛シーリングアダプタ１４の取付凸部３５ａは、この位置合わせ機構部４０の取付凹部３６ａに挿入される。位置合わせ機構部４０の下面には、ユニット１６の取付凹部３６ｂに嵌合される取付凸部３５ｂがユニット１６とセンター合わせで取り付けられる位置に設けられている。この取付凸部３５ｂがユニット１６の取付凹部３６ｂに嵌合されることによって位置合わせ機構部４０とユニット１６とがセンター合わせで取り付けられる。これにより、オフセンター合わせのユニット１６であっても、受光部２２が出っ張っていない照明器具に対してもユニット１６をセンター合わせで取り付けることができる。
【００７４】
なお、引掛シーリングアダプタ１４とユニット１６、位置合わせ機構部４０と引掛シーリングアダプタ１４またはユニット１６との取付けは、引掛シーリング１２と引掛シーリングアダプタ１４との取付け方法と同様の構造を採用してもよい。また、上記実施例では解除ボタン１７を収納するための収納穴３７を設ける場合について説明したが、例えば、引掛シーリングアダプタ１４の下面に取付けられる部材から上方に突出する環状側壁として形成してもよい。
【００７５】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００７６】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００７７】
１１…天井面、１２…引掛シーリング、１３…器具本体、１４…引掛シーリングアダプタ、１５…係止片、１６…ユニット、１７…解除ボタン、１８…光源、１９…点灯装置、２０…カバー、２１…リモコン操作器、２２…受光器、２３…ホームゲートウエイ、２４…上位システム、２５…電流検知部、２６…、２７…リモコン受信部、２８…メモリ、２９…通信部、３０…設定スイッチ部、３１…送信部、３２…充電金具、３３…接続孔、３４…コネクタ、３５…取付凸部、３６…取付凹部、３７…収納穴、３８…コネクタ接続部、３９…接続コネクタ、４０…位置合わせ機構部
【図１】
2010283608.tif 000003
【図２】
2010283608.tif 000004
【図３】
2010283608.tif 000005
【図４】
2010283608.tif 000006
【図５】
2010283608.tif 000007
【図６】
2010283608.tif 000008